(57)【要約】  鋼板をプレス加工して形成する下ケース体２１０の側面部２１２に、側面部２１２の外面側が回路基板４００を載置する上面となる状態に側面部２１２に対して略垂直に舌片状に取付面部２１５Ａを切り起こし形成されている。下ケース体２１０の底面部２１１に、底面部２１１の下面が下ケース体２１０の端面部２１３に対向する状態で、先端縁が取付面部２１５Ａの突出方向の一側縁に略平行に接触する状態に支持面部２１５Ｂを切り起こし形成する。回路基板４００をねじ４１０にて取付面部２１５Ａのねじ孔２１６に取り付ける際の取付作業力を支持面部２１５Ｂにて受け止め、ねじ４１０とねじ孔２１６との軸方向が略一致する状態を維持し、良好に取り付けできる。【特許請求の範囲】
【請求項１】
平板状の底面部および側面部を有する被載置物を収容するケース体であって、
前記底面部または前記側面部のうちの少なくともいずれか一方の一部が前記ケース体内部へ折り曲げられ、前記被載置物が載置される取付面部および前記取付面部を支える支持面部を形成した
ことを特徴としたケース体。
【請求項２】
請求項１に記載のケース体であって、
前記取付面部は、前記側面部から前記ケース体内部へ向けて切り起こし形成され、
前記支持面部は、前記底面部から前記ケース体内部へ向けて切り起こし形成された
ことを特徴としたケース体。
【請求項３】
請求項２に記載のケース体であって、
前記取付面部の先端側が、基端側に対して前記底面部と前記側面部との境界側に位置する状態から、切り起こし形成された
ことを特徴としたケース体。
【請求項４】
請求項２に記載のケース体であって、
前記取付面部は、基端側が先端側に対して前記底面部と前記側面部との境界側に位置する状態から、切り起こし形成された
ことを特徴としたケース体。
【請求項５】
請求項２ないし請求項４のいずれかに記載のケース体であって、
前記支持面部は、先端側が基端側に対して前記底面部と前記側面部と間の境界側に位置する状態で、前記底面部に切り起こし形成された
ことを特徴としたケース体。
【請求項６】
請求項２ないし請求項４のいずれかに記載のケース体であって、
前記支持面部は、基端側が先端側に対して前記底面部と前記側面部と間の境界側に位置する状態で、前記底面部に切り起こし形成された
ことを特徴としたケース体。
【請求項７】
請求項２ないし請求項４のいずれかに記載のケース体であって、
前記支持面部は、前記取付面部の突出方向の一側縁に略平行な平面となる状態に前記取付面部の切り起こし方向と交差する方向へ前記底面部に切り起こし形成された
ことを特徴としたケース体。
【請求項８】
請求項２に記載のケース体であって、
前記取付面部および前記支持面部は、先端部が連結する状態に一連に連続して切り起こし形成された
ことを特徴としたケース体。
【請求項９】
請求項１に記載のケース体であって、
前記取付面部は、前記側面部に前記内部空間に向けて切り起こし形成され、
前記支持面部は、前記取付面部の突出方向の一側縁から前記底面部に向けて先端部が前記底面部に略接触する状態に折曲形成された
ことを特徴としたケース体。
【請求項１０】
請求項１に記載のケース体であって、
前記取付面部は、前記側面部に前記内部空間に向けて切り起こし形成され、
前記支持面部は、前記側面部の前記取付面部より前記底面部側に位置し突出方向の一側縁が前記取付面部の前記底面部に対向する面に略接触する状態に切り起こし形成された
ことを特徴としたケース体。
【請求項１１】
請求項１ないし請求項１０のいずれかに記載ケース体であって、
前記取付面部は、前記被載置物を取付部材により取付固定する取付部を有した
ことを特徴としたケース体。
【請求項１２】
請求項１ないし請求項１１のいずれかに記載のケース体であって、
前記取付面部および前記支持面部は、前記底面部または前記側面部のいずれか一方から形成されている
ことを特徴としたケース体。
【請求項１３】
請求項１ないし請求項１２のいずれかに記載のケース体と、
このケース体の内部空間内に配設された電気機器本体と、
前記ケース体の取付台座部に取り付けられて前記内部空間内に配設される被載置物と、
を具備したことを特徴とした電気機器。
【発明の詳細な説明】
【技術分野】
【０００１】
本発明は、電気機器本体およびこの電気機器本体の動作を制御する回路基板を収容するケース体および電気機器に関する。
【背景技術】
【０００２】
従来、例えばパーソナルコンピュータやテレビ（TV）番組を録画および再生する処理装置などの各種電気機器が知られている。これら電気機器は、各種電気制御をする回路基板を収容するケース体を備えている。ケース体は、折曲形成された台座部に回路基板をねじ止めなどにより取り付けられて収容している（例えば、特許文献１ないし特許文献３参照）。【０００３】
特許文献１に記載のものは、断面Ｌ字形のヒートシンクの他側面に、配線基板を取付ねじにて取り付ける基板支持部を設けている。しかしながら、この特許文献１に記載のものは、基板支持部が、他側面に略垂直に折曲され先端が一側面に対して反対側に他側面に対して略平行に折曲されて配線基板が載置可能に断面Ｌ字形に形成されているため、基板支持部の先端が自由端となっており、例えば取付ねじを工具などにて取り付ける際の押圧力により、自由端となる先端側が他側面側へ折れ曲がる状態となり、取付ねじが良好に取り付けられず、取付不良を生じるおそれがある。【０００４】
特許文献２に記載のものは、下ケースの底壁に、回路基板を取り付ける台座が一体に折曲形成されている。台座部は、底壁に連続する垂直部およびこの垂直部から折曲する水平部を有し、断面略Ｌ字状に形成され、水平部に回路基板をねじ止めする穴が設けられている。しかしながら、この特許文献２に記載のものは、底壁に一体に断面略Ｌ字状に形成され、先端部が自由端となっているため、上述したように、例えば取付ねじを工具などにて取り付ける際の押圧力により、先端側が底壁側へ折れ曲がる状態となり、良好にねじ止めできず、取付不良を生じるおそれがある。【０００５】
特許文献３に記載のものは、断面Ｌ字状の支持体の後板に、内向きに起立する突片が形成され、この突片に基板をねじ止めするねじ孔を設けている。しかしながら、この特許文献３に記載のものは、突片が後板に対して略垂直に内向きに折曲され、先端が自由端となっているため、上述したように、例えば取付ねじを工具などにて取り付ける際の押圧力により、先端側が底板側へ折れ曲がる状態となり、良好にねじ止めできず、取付不良を生じるおそれがある。【０００６】
【特許文献１】特開平５−１６７２７７号公報（第２頁右欄−第３頁左欄、図３）
【特許文献２】特開平９−２８９３８９号公報（第２頁右欄−第４頁右欄、図１）
【特許文献３】特開２００５−３３０５４号公報（第３頁−第４頁、図５）
【発明の開示】
【発明が解決しようとする課題】
【０００７】
上述したように、上記特許文献１ないし特許文献３に記載のような従来の構成では、折曲形成され基板を取り付ける部位が自由端形状となっているので、基板を取り付ける際の押圧力により変形し、良好な基板の取付ができなくなるおそれがある問題が一例として挙げられる。【０００８】
本発明は、このような問題点などに鑑みて、良好で確実に回路基板が取り付けられるケース体および電気機器を提供することを１つの目的とする。
【課題を解決するための手段】
【０００９】
本発明のケース体は、平板状の底面部および側面部を有する被載置物を収容するケース体であって、前記底面部または前記側面部のうちの少なくともいずれか一方の一部が前記ケース体内部へ折り曲げられ、前記被載置物が載置される取付面部および前記取付面部を支える支持面部を形成したことを特徴とする。【００１０】
本発明の電気機器は、前述した本発明のケース体と、このケース体の内部空間内に配設された電気機器本体と、前記ケース体の取付台座部に取り付けられて前記内部空間内に配設される被載置物と、を具備したことを特徴とする。
【図面の簡単な説明】
【００１１】
【図１】本発明における実施の一形態に係る電気機器の概略構成を示す斜視図である。
【図２】前記実施の一形態における電気機器の取付台座部近傍を示す一部を切り欠いた分解斜視図である。
【図３】本発明における他の実施の形態に係る電気機器のケース体の取付台座部近傍を示す一部を切り欠いた斜視図である。
【図４】本発明におけるさらに他の実施の形態に係る電気機器のケース体の取付台座部近傍を示す一部を切り欠いた斜視図である。
【図５】本発明におけるさらに他の実施の形態に係る電気機器のケース体の取付台座部近傍を示す一部を切り欠いた斜視図である。
【図６】本発明におけるさらに他の実施の形態に係る電気機器のケース体の取付台座部近傍を示す一部を切り欠いた斜視図である。
【図７】本発明におけるさらに他の実施の形態に係る電気機器のケース体の取付台座部近傍を示す一部を切り欠いた斜視図である。
【図８】本発明におけるさらに他の実施の形態に係る電気機器のケース体の取付台座部近傍を示す一部を切り欠いた斜視図である。
【図９】本発明におけるさらに他の実施の形態に係る電気機器のケース体の取付台座部近傍を示す一部を切り欠いた斜視図である。
【図１０】本発明におけるさらに他の実施の形態に係る電気機器のケース体の取付台座部近傍を示す一部を切り欠いた斜視図である。
【図１１】本発明におけるさらに他の実施の形態に係る電気機器のケース体の取付台座部近傍を示す一部を切り欠いた斜視図である。
【符号の説明】
【００１２】
１００……電気機器
２００……ケース体
２０１……内部空間
２１１……底面部
２１２……側面部
２１４……折れ線
２１５……取付台座部
２１５Ａ，２１５Ｅ…取付面部
２１５Ｂ，２１５Ｃ，２１５Ｄ，２１５Ｆ，２１５Ｇ，２１５Ｈ，２１５Ｋ…支持面部
２１６……取付部としてのねじ孔
３００……電気機器本体としてのディスクドライブ
４００……被載置物としての回路基板
４１０……取付部材としてのねじ
【発明を実施するための最良の形態】
【００１３】
以下、本発明の一実施の形態を図面に基づいて説明する。本実施の形態では、テレビ放送番組を録画および再生する録画処理および再生処理を実施する電気機器としての録画再生装置を例示して説明するが、例えばパーソナルコンピュータなど、電力の供給により動作する電気機器本体およびこの電気機器本体の動作を制御する回路が搭載された回路基板を、ケース体内に収容するいずれの電気機器に適用できる。【００１４】
〔電気機器の構造〕
図１は、本実施の形態の電気機器を示す斜視図である。図２は、取付台座部近傍を示す一部を切り介した斜視図である。【００１５】
図１において、１００は電気機器で、この電気機器１００は、テレビ放送番組を取得して録画する録画処理および録画したテレビ放送番組を再生する再生処理を実施する。そして、この電気機器１００は、ケース体２００と、このケース体２００内に収容される電気機器本体としてのディスクドライブ３００と、ケース体２００内に収容されディスクドライブ３００の動作を制御するとともに録画処理および再生処理を制御する被載置物としての回路基板４００と、を備えている。【００１６】
ケース体２００は、図１および図２に示すように、上面および前面の２面に亘って開口する下ケース体２１０と、この下ケース体２１０の上面を閉塞するとともに下ケース体２１０の側面を覆う上ケース体２２０と、下ケース体２１０および上ケース体２２０の前面を閉塞する化粧板２３０と、を有し、内部に内部空間２０１を区画形成する略矩形状に形成されている。そして、下ケース体２１０および上ケース体２２０は、例えば導電材料である鋼板のプレス加工により形成されている。また、化粧板２３０は、例えばアクリロニトリル−ブタジエン−スチレン（ＡＢＳ；Acrylonitrile-Butadiene-Styrene）やポリス
チレン（ＰＳ：polystyrene）などの合成樹脂製で射出成型などにより形成されている。この化粧板２３０には、前面に臨んで操作可能に配設された各種操作ボタン２３１が配設されている。これら操作ボタン２３１の入力操作にて、電気機器１００全体の動作を設定するための各種信号が回路基板４００へ出力される。【００１７】
そして、下ケース体２１０は、図２に示すように、図示しない載置台などの載置面や載置面としての床面などの電気機器１００を載置する載置面に、下面が対向して載置面上に載置される平板状の底面部２１１を有している。また、下ケース体２１０は、底面部２１１の前後方向における両側縁が一面側となる上方に向けてそれぞれ略垂直に折曲形成された一対の側面部２１２を有している。さらに、下ケース体２１０は、底面部２１１の前後方向における後端縁が側面部２１２と同方向に上方に向けて略垂直に折曲形成された端面部２１３を有し、前面および上面を開口する略箱形状に形成されている。さらに、下ケース体２１０には、回路基板４００が取り付けられる取付台座部２１５が、プレス加工により切り起こし形成されている。なお、プレス加工による切り起こし形成としては、切り起こす形状の縁に沿って裁断処理したのちにプレスにより曲げる加工や、裁断処理を実施せずに直接切り起こし形成するなど、いずれの方法が適用できる。【００１８】
この取付台座部２１５は、側面部２１２に内方である内部空間２０１に向けて突出する状態に舌片状に切り起こし形成された取付面部２１５Ａを有している。この取付面部２１５Ａは、基端となる側面部２１２側の端部に対して内方に向けて突出する先端側が、側面部２１２の底面部２１１に対して折曲された上方側に位置する状態から先端側が底面部２１１に向けて切り起こし形成、すなわち側面部２１２の外面側が、回路基板４００を載置する上面となる状態に側面部２１２に対して略垂直に切り起こし形成されている。そして、取付面部２１５Ａの略中央には、回路基板４００のねじ貫通孔４０１を貫通して取付部材としてのねじ４１０が螺着されるねじ孔２１６が穿設されている。なお、この取付面部２１５Ａは、底面部２１１の上面に対して取付面部２１５Ａの下面である底面部２１１に対向する面までの距離が、回路基板４００を取り付ける導電性のねじ４１０が取付面部２１５Ａの下面から突出する寸法以上の距離となる状態に折曲形成されている。【００１９】
さらに、取付台座部２１５は、底面部２１１に内方である内部空間２０１に向けて突出する状態に舌片状に切り起こし形成された支持面部２１５Ｂを有している。この支持面部２１５Ｂは、基端となる底面部２１１側の端部が、取付面部２１５Ａの突出する方向における端面部２１３に対向する一側縁に対応する位置で、この一側縁に略平行な平面となる状態に取付面部２１５Ａの切り起こし方向と直行する方向へ切り起こし形成されている。すなわち、支持面部２１５Ｂは、底面部２１１の下面が端面部２１３に対向する状態で、先端縁が取付面部２１５Ａの突出方向の一側縁に略平行に接触する状態に切り起こし形成されている。このように、支持面部２１５Ｂは、取付面部２１５Ａの底面部２１１に対向する距離と略同寸法で突出する舌片状に形成されている。なお、この支持面部２１５Ｂは、取付面部２１５Ａに接触する先端部の少なくとも一部が、ねじ孔２１６の位置より取付面部２１５Ａの先端側で接触する状態に切り起こし形成されていることが好ましい。【００２０】
なお、下ケース体２１０は、鋼板のプレス加工により取付面部２１５Ａおよび支持面部２１５Ｂが切り起こし形成され、さらにプレス加工により底面部２１１に対して側面部２１２および端面部２１３が折曲形成される。この側面部２１２の折曲形成により、取付面部２１５Ａが底面部２１１に略平行に対向する状態となるとともに支持面部２１５Ｂの先端縁が取付面部２１５Ａの底面部２１１に対向する側となる下面に接触する状態となり、取付台座部２１５が構成される。【００２１】
上ケース体２２０は、図１に示すように、下ケース体２１０の底面部２１１と略同形状の平板状の天板部２２１を有している。また、上ケース体２２０は、天板部２２１の前後方向における両側縁が下方に向けてそれぞれ略垂直に折曲形成された一対の側板部を有し、前面、下面および背面側が開口する略箱状に形成されている。そして、上ケース体２２０は、側板部が下ケース体２１０の側面部の外面側に積層する状態でねじなどの取付手段２５０にて取り付けられ、天板部２２１が下ケース体２１０に取り付けられた回路基板４００およびディスクドライブ３００を覆って内部空間２０１を区画する状態に下ケース体２１０に取り付けられる。【００２２】
〔電気機器の動作〕
次に、上記実施の一形態における電気機器１００の動作として回路基板４００を取り付ける動作について説明する。【００２３】
あらかじめ折曲形成された下ケース体２１０の取付台座部２１５の取付面部２１５Ａの上面に、回路基板４００のねじ貫通孔４０１がねじ孔２１６に略対向する状態に回路基板４００を載置する。この状態に電動工具などにより、ねじ４１０をねじ貫通孔４０１を挿通させ、ねじ孔２１６に螺着させる。この際に、ねじ４１０を取付面部２１５Ａに押し付ける取付作業力が、この取付面部２１５Ａの先端側を底面部２１１に向けて押し倒す力として取付面部２１５Ａに作用する。そして、取付作業力は、取付面部２１５Ａの下面に当接する支持面部２１５Ｂにより受け止められ、取付面部２１５Ａが底面部２１１に向けて押し倒されず、ねじ４１０の取付方向となるねじ４１０の軸方向とねじ孔２１６の軸方向とが略一致する状態が維持され、良好にねじ４１０が螺着される。このねじ止めにより、回路基板４００がねじ孔２１６に螺合するねじ４１０を介して取付面部２１５Ａに電気的に接地される状態が得られる。【００２４】
〔電気機器の作用効果〕
上述したように、上記実施の形態では、底面部２１１および側面部２１２に内部空間２０１に向けて折曲形成され、ねじ４１０が取り付けられるねじ孔２１６を有しねじ４１０により回路基板４００が載置される状態に取り付けられる平面状の取付面部２１５Ａと、この取付面部２１５Ａの平面に対して交差する方向に平面を有し取付面部２１５Ａおよび底面部２１１間に位置して取付面部２１５Ａが底面部２１１へ向けて押し倒れるように移動することを規制する支持面部２１５Ｂと、を備えた回路基板４００を取り付ける取付台座部２１５を構成している。このため、回路基板４００を取り付ける際に押し倒される状態に取付作業力が作用しても、支持面部２１５Ｂにて取付面部２１５Ａが押し倒されて曲がってしまうことを防止でき、取り付けるねじ４１０の軸方向とねじ孔２１６の軸方向とが略一致する状態が維持されて、ねじ４１０が確実に螺着でき、良好な取付状態が簡単な構成で確実に得られる。そして、回路基板４００が確実に取り付けられることから、電気機器１００の動作時や外部からの振動などにより回路基板４００ががたついて損傷したり、騒音が発生したり、回路基板４００が他の部位と接触して短絡し、誤動作したりするなどの不都合を防止でき、安定した動作が確実に得られる。【００２５】
そして、取付面部２１５Ａを側面部２１２に内部空間２０１へ向けて突出する状態に切り起こし形成し、支持面部２１５Ｂを底面部２１１に内部空間２０１へ向けて突出する状態で先端部が取付面部２１５Ａの先端側に接触する状態に切り起こし形成し、回路基板４００を取り付ける取付台座部２１５を構成している。このため、良好な回路基板４００の取付状態が簡単な構成で確実に得られる構成が容易に得られる。さらに、底面部２１１および側面部２１２にそれぞれ切り起こし形成するので、底面部２１１あるいは側面部２１２の一方のみから切り起こし形成する場合に比して、底面部２１１や側面部２１２に切り起こしにより開口する面積が分散される状態となり、底面部２１１や側面部２１２の強度の低下を防止できるとともに、プレス加工により切り起こしが容易にできる。【００２６】
特に、取付面部２１５Ａに接触する支持面部２１５Ｂの先端部の少なくとも一部を、ねじ孔２１６の位置より取付面部２１５Ａの先端側で接触する状態に支持面部２１５Ｂを切り起こし形成している。このことから、比較的に大きな取付作業力が取付面部２１５Ａに作用しても確実に支持面部２１５Ｂが取付作業力を受け止めて取付面部２１５Ａが押し倒されるように曲がってしまうことを防止できる。【００２７】
さらに、取付面部２１５Ａの突出方向の一側縁に略平行な平面となるように支持面部２１５Ｂを切り起こし形成している。すなわち、取付面部２１５Ａの切り起こし方向と支持面部２１５Ｂの切り起こし方向とが交差する方向となる状態に形成している。このため、プレス加工時に下ケース体２１０の下地となる鋼板に作用する力が異なる方向となり、プレス加工時に下地に作用する力が分散する状態となり、下地がプレス加工時に位置ズレが生じるなどのおそれがなく、下地の支持が容易となり、安定したプレス加工が得られ、プレス加工が容易にできる。【００２８】
また、取付面部２１５Ａを、基端側に対して先端側が側面部２１２の折曲方向の先端側に位置する状態、すなわち側面部２１２の外面側が回路基板４００を載置する上面となる状態に切り起こし形成している。このため、取付面部２１５Ａを比較的広い面積で切り起こし形成でき、回路基板４００を安定して支持できるとともに、取付面部２１５Ａの基端からねじ孔２１６までの距離を長く設定することが容易となり、回路基板４００のねじ貫通孔４０１の位置が回路基板４００の周縁から比較的に内側に位置して設けられていても取り付けでき、設計の自由度を向上でき、製造性を向上できる。【００２９】
さらに、支持面部２１５Ｂを、基端側に対して先端側が端面部２１３側に位置する状態、すなわち底面部２１１の下面が端面部２１３に対向する状態に切り起こし形成している。このため、取付面部２１５Ａの下方に支持面部２１５Ｂの切り起こしにより形成される開口が位置しないことから、ケース体２００の底面側からねじ止め部分が露出することはなく、切り起こしの開口にねじ４１０の先端部分が位置することによる外部との干渉などを防止できる。【００３０】
そして、導電部材の下ケース体２１０に回路基板４００をねじ止めするねじ孔２１６を有した取付面部２１５Ａを切り起こし形成しているので、下ケース体２１０が表面加工処理されていてもねじ孔２１６に螺合する導電性のねじ４１０により回路基板４００の機械的な取付とともに電気的な接地が一連に得られる。さらに、導電部材としての鋼板により形成することで、取付台座部２１５の切り起こし形成がプレス加工にて一連に形成でき、製造性が損なわれることなく、容易に形成できる。そして、下ケース体２１０を形成するためのプレス加工と同様に、取付台座部２１５をプレス加工するため、製造が煩雑となることなく容易に取付台座部２１５を形成できる。【００３１】
また、取付台座部２１５の取付面部２１５Ａを切り起こし形成する下ケース体２１０の側面部２１２に、この側面部２１２の外面側に積層する状態で上ケース体２２０の側板部２２２を取り付けるケース体２００としている。このため、取付面部２１５Ａを切り起こし形成しても上ケース体２２０にて切り起こしによる開口が塞がれる状態となり、外観が損なわれることがないとともに、ディスクドライブ３００などの電気機器本体の動作時などに発生する騒音や電磁波などの漏洩も防止できる。【００３２】
〔実施の形態の変形〕
なお、本発明は、上述した実施の一形態に限定されるものではなく、本発明の目的を達成できる範囲で以下に示される変形をも含むものである。【００３３】
すなわち、本発明の電気機器としては、ディスクドライブ３００を収容する電気機器１００を例示して説明したが、上述したように、ディスクドライブ３００としてはトレイを有した構成に限らず、いわゆるスロットインタイプのディスクドライブやスリムドライブなどのディスクドライブ、さらにはハードディスクドライブなどの他の記録媒体や着脱されない記録媒体を処理するいずれのディスクドライブをも対象とすることができる。さらには外周面に記録面が設けられた円筒状の記録媒体や磁気テープなどのディスク状ではないいずれの記録媒体を処理するドライブも対象とすることができる。さらには、通信回路や演算装置などの電力の供給により動作するいずれの電気機器本体を対象とすることができる。【００３４】
そして、ケース体２００として、鋼板にて形成して説明したが、鋼板に限らず、例えばアルミニウム合金などの非鉄金属板にて形成したものなど、いずれの導電部材、さらには合成樹脂板などにて形成したものなどでもよい。また、下ケース体２１０と上ケース体２２０と化粧板２３０とにて構成されるケース体２００に限らず、例えば上面のみを開口する下ケース体の上面を閉塞する蓋状の上ケース体にて内部空間を区画する構成など、少なくとも底面部および側面部を有したいずれの形状のケース体を利用することができる。さらに、横置き型、すなわち面積が広い底面部２１１が載置面に対向する形状として説明したが、例えば側板部２２２が載置面に対向する状態に載置される縦型に適用することもできる。【００３５】
また、回路基板４００を取り付ける構成として、取付台座部２１５のねじ孔２１６に螺着するねじ４１０にて取り付ける構成について説明したが、例えばボルトやリベット、鳩目など、いずれの取付部材を利用できる。さらには、いずれの取付部材が取り付けられるいずれの取付部の構成が適用できる。【００３６】
そして、取付台座部２１５の構成としては、上述した側面部２１２に取付面部２１５Ａを切り起こし形成し底面部２１１に支持面部２１５Ｂを切り起こし形成する構成に限らず、取付面部２１５Ａに作用する取付作業力を作用する側に位置する支持面部２１５Ｂにて受け止めるいずれの形状とすることができる。具体的には、例えば図３ないし図１１にそれぞれ示す各構成とするなどしてもよい。【００３７】
具体的には、図３に示す取付台座部２１５は、図１および図２に示す取付面部２１５Ａと、底面部２１１に取付面部２１５Ａに対向する部分で切り起こし形成された支持面部２１５Ｃと、を備えている。そして、支持面部２１５Ｃは、先端側が、基端側に対して底面部２１１および側面部２１２間の折曲形成による折れ線２１４側に位置する状態で内部空間２０１へ向けて突出する状態に切り起こし形成、すなわち底面部２１１の下面側が取付面部２１５Ａが切り起こし形成された側面部２１２に対向する状態に切り起こし形成されている。この図３に示す構成によれば、上記図１および図２に示す実施の形態と同様の作用効果、すなわち良好な回路基板４００の取付状態が簡単な構成で確実に得られるという作用効果を奏するとともに、取付面部２１５Ａに対向する部分が切り起こされることから、底面部２１１に設けられる他の部材との干渉が生じにくい、例えば端子を配設するための孔を設けるなどの他の構成との干渉が生じにくく、限られた領域で良好に取付台座部２１５を設けることができる。また、取付面部２１５Ａを切り起こす方向と支持面部２１５Ｃを切り起こす方向とが同方向となることから、プレス加工時に鋼板に作用する力が同方向となり、良好なプレス加工が容易に得られる。【００３８】
また、図４に示す取付台座部２１５は、図３に示す実施の形態における支持面部２１５Ｃの切り起こしを逆方向に形成したものである。具体的には、支持面部２１５Ｄは、基端側に対して先端側が折れ線２１４と反対側に位置する状態、すなわち底面部２１１の上面が取付面部２１５Ａが設けられた側面部２１２に対向する状態に切り起こし形成されている。この図４に示す構成によれば、上記図１および図２に示す実施の形態や図３に示す実施の形態と同様の作用効果を奏する。【００３９】
さらに、図５に示す取付台座部２１５は、図４に示す実施の形態における取付面部２１５Ａの切り起こし方向が上下方向で逆にしたものである。具体的には、取付面部２１５Ｅは、先端側が基端側に対して底面部２１１および側面部２１２間の折れ線２１４側に位置する状態、すなわち側面部２１２の内面側が上面となる状態に切り起こし形成されている。この図５に示す実施の形態によれば、上述した各実施の形態と同様の作用効果を奏するとともに、取付面部２１５Ｅの切り起こしにより側面部２１２に形成される開口には回路基板４００が臨まないことから、仮に側面部２１２に側板部２２２が積層する状態に取り付けられない構成、すなわち側面部２１２が外面に臨む状態のケース体２００の構成としても側面方向から侵入される部材により回路基板４００が短絡するなどを防止でき、安定した特性が容易に得られる。【００４０】
そして、図６に示す取付台座部２１５は、図５に示す実施の形態の取付面部２１５Ｅと、図３に示す実施の形態の支持面部２１５Ｃと、を備えたものである。この図６に示す実施の形態についても、上述した各実施の形態と同様に、良好な回路基板４００の取付状態が簡単な構成で確実に得られるという作用効果を奏する。【００４１】
また、図７に示す取付台座部２１５は、図５に示す実施の形態および図６に示す実施の形態と同様の取付面部２１５Ｅを用いるとともに、図１ないし図２に示す実施の形態における支持面部２１５Ｂを取付面部２１５Ａの突出方向における化粧板２３０に対向する側の側縁側で当接する状態に形成している。具体的には、支持面部２１５Ｆは、先端側が基端側に対して化粧板２３０側に位置する状態、すなわち底面部２１１の上面が端面部２１３に対向する状態で、先端部がねじ孔２１６より取付面部２１５Ｅの先端側で接触する状態に切り起こし形成している。この図７に示す実施の形態についても同様に、良好な回路基板４００の取付状態が簡単な構成で確実に得られるという作用効果を奏する。【００４２】
そして、取付面部２１５Ａ，２１５Ｅを側面部２１２に切り起こし、支持面部２１５Ｂ，２１５Ｃ，２１５Ｄ，２１５Ｆを底面部２１１に切り起こし、取付台座部２１５を構成したが、例えば図８に示すように、底面部２１１および側面部２１２のいずれか一方のみに折曲形成してもよい。【００４３】
この図８に示す取付台座部２１５は、取付面部２１５Ａを切り起こし形成する側面部２１２に、支持面部２１５Ｇを切り起こし形成している。すなわち、支持面部２１５Ｇは、基端側が取付面部２１５Ａの基端側に略隣接する状態で、先端側が基端に対して化粧板２３０側に位置する状態、すなわち側面部２１２の外面側が化粧板２３０に対向する状態に取付面部２１５Ａに対して平面方向が略直交する状態に内部空間２０１へ向けて舌片状に切り起こし形成している。そして、支持面部２１５Ｇは、突出方向の一縁である上縁が、取付面部２１５Ａの下面に略当接、すなわち取付面部２１５Ａの突出方向の一縁に略平行な状態で略接触する状態となっている。この図８に示す構成においても同様に、良好な回路基板４００の取付状態が簡単な構成で確実に得られるという作用効果を奏する。さらに、この図８に示す構成では、上ケース体２２０にて覆われる側面部２１２にのみ切り起こし形成していることから、外部に回路基板４００の取付部分が臨まず、外観が損なわれることなく、確実に短絡などの不都合を防止できるとともに、騒音や電磁波の漏洩も確実に防止できる。また、支持面部２１５Ｇを底面部２１１に対向する一縁が底面部２１１に若干間隙を介する状態に切り起こし形成することで、底面部２１１に対して側面部２１２をプレス加工により折曲形成する際に、支持面部２１５Ｇが底面部２１１に当接せず、良好に折曲形成できる。なお、この図８に示す構成において、支持面部２１５Ｇの下縁、すなわち底面部２１１に対向する一縁が底面部２１１に接触する状態に切り起こし形成してよい。このような構成とすることで、取付作業力にて取付面部２１５Ａが底面部２１１側に押し曲げられる状態がより防止できる。【００４４】
また、図８に示す取付台座部２１５において、取付面部２１５Ａおよび支持面部２１５Ｇを一連に形成してもよい。具体的には、図９に示す構成としてもよい。この図９に示す取付台座部２１５は、側面部２１２に切り起こし形成した取付面部２１５Ａの突出方向の一側縁を底面部２１１に向けてさらに折曲し、先端部が底面部２１１に略接触する状態に支持面部２１５Ｈを形成してもよい。この構成についても同様に、良好な回路基板４００の取付状態が簡単な構成で確実に得られるという作用効果を奏する。さらに、図９に締めす構成では、取付面部２１５Ａに連続して支持面部２１５Ｈを折曲形成しているので、簡単な構成で取付作業力を良好に支持面部Ｈにて支持できる。なお、この図９に示す構成において、取付面部２１５Ａの突出方向の一側縁を折曲して支持面部２１５Ｈを形成して説明したが、例えば両側縁にそれぞれ一対の支持面部２１５Ｈを形成したり、突出方向の先端縁側を底面部に向けて折曲形成するなどしてもよい。なお、支持面部２１５Ｈを一対設ける構成のように、上述した各実施の形態においても同様に、複数の支持面部２１５Ｂ，２１５Ｃ，２１５Ｄ，２１５Ｆ，２１５Ｇを適宜組み合わせて設けて取付作業力を受け止める構成としてもよい。これらのように、複数の支持面部２１５Ｂ，２１５Ｃ，２１５Ｄ，２１５Ｆ，２１５Ｇ，２１５Ｈを設ける構成とすることで、より良好な取付状態が得られる。【００４５】
そして、図９に示す実施の形態のように、取付面部２１５Ａおよび支持面部２１５Ｇを一連に形成する構成として、例えば図１０に示す取付台座部のように、底面部２１１および側面部２１２からそれぞれ切り起こして一連に連続する状態に形成してもよい。具体的には、底面部２１１および側面部２１２間の折れ線の山谷を逆の構成、すなわち一連に連続する取付面部２１５Ｉおよび支持面部２１５Ｊ間の折れ線２１４Ａの部分が内部空間２０１へ向けて突出する状態に一連に切り起こし形成する。この図１０に示す構成でも同様に、良好な回路基板４００の取付状態が簡単な構成で確実に得られるという作用効果を奏する。さらに、図１０に示す構成では、自由端となる部分がないことから、より確実に安定した取付状態が得られるとともに、振動などにより自由端と側面部２１２や底面部２１１に取付台座部２１５が接離する際の騒音などの発生も防止できる。【００４６】
さらに、図１１に示す取付台座部２１５は、図５ないし図７に示す各実施の形態の取付面部２１５Ｅと、内方となる内部空間２０１へ向けて膨出する状態に切り起こし形成した支持面部２１５Ｋと、を備えている。具体的には、支持面部２１５Ｋは、底面部２１１に基端側が連続し先端側が取付面部２１５Ｅの先端側の下面に略当接する状態に傾斜して切り起こされた一対の傾斜面部２１５Ｋ１と、これら傾斜面部２１５Ｋ１の先端側を架橋する状態に一連に設けられ上面が取付面部２１５Ｅの先端側の下面に略接触する当接面部２１５Ｋ２とを備え、断面略山形形状に一連に切り起こし形成されている。この図１１に示す構成でも同様に、良好な回路基板４００の取付状態が簡単な構成で確実に得られるという作用効果を奏する。さらに、この図１１に示す構成では、取付作業力が一対の傾斜面部２１５Ｋ１に分散して受け止められる構成であることから、より確実に安定した取付状態が得られる。【００４７】
また、支持面部２１５Ｂ，２１５Ｃ，２１５Ｄ，２１５Ｆ，２１５Ｇ，２１５Ｋを取付面部２１５Ａ，２１５Ｅに接触する状態に切り起こし形成したが、接触せず、取付作業力により底面部２１１側へ弾性変形された状態で支持面部２１５Ｂの先端に当接する状態に若干間隙が形成されていてもよい。【００４８】
そして、ねじ孔２１６より先端側に位置する状態で接触せず、ねじ孔２１６より取付面部２１５Ａの基端側で略接触する状態に支持面部２１５Ｂを設けてもよい。【００４９】
その他、本発明の実施の際の具体的な構造および手順は、本発明の目的を達成できる範囲で他の構造などに適宜変更できる。【００５０】
〔実施の形態の効果〕
上述したように、底面部２１１および側面部２１２の少なくともいずれか一方に内部空間２０１に向けて折曲形成され、ねじ４１０が取り付けられるねじ孔２１６を有しねじ４１０により回路基板４００が載置される状態に取り付けられる平面状の取付面部２１５Ａ，２１５Ｅと、この取付面部２１５Ａの平面に対して交差する方向に平面を有し取付面部２１５Ａ，２１５Ｅおよび底面部２１１間に位置して取付面部２１５Ａ，２１５Ｅが底面部２１１へ向けて押し倒れるように移動することを規制する支持面部２１５Ｂ，２１５Ｃ，２１５Ｄ，２１５Ｆ，２１５Ｇ，２１５Ｈ，２１５Ｋと、を備えた回路基板４００を取り付ける取付台座部２１５を構成している。このため、回路基板４００を取り付ける際に押し倒される状態に取付作業力が作用しても、支持面部２１５Ｂ，２１５Ｃ，２１５Ｄ，２１５Ｆ，２１５Ｇ，２１５Ｈ，２１５Ｋにて取付面部２１５Ａ，２１５Ｅが押し倒されて曲がってしまうことを防止でき、取り付けるねじ４１０の軸方向とねじ孔２１６の軸方向とが略一致する状態が維持されて、ねじ４１０が確実に螺着でき、良好な取付状態が簡単な構成で確実に得られる。
【産業上の利用可能性】
【００５１】
本発明は、電気機器本体およびこの電気機器本体の動作を制御する回路基板を収容するケース体および電気機器に利用できる。
【図１】
2006106827.tif 000002
【図２】
2006106827.tif 000003
【図３】
2006106827.tif 000004
【図４】
2006106827.tif 000005
【図５】
2006106827.tif 000006
【図６】
2006106827.tif 000007
【図７】
2006106827.tif 000008
【図８】
2006106827.tif 000009
【図９】
2006106827.tif 000010
【図１０】
2006106827.tif 000011
【図１１】
2006106827.tif 000012
【手続補正書】
【提出日】平成19年6月5日(2007.6.5)
【手続補正１】
【補正対象書類名】特許請求の範囲
【補正対象項目名】全文
【補正方法】変更
【補正の内容】
【特許請求の範囲】
【請求項１】
平板状の底面部および側面部を有する被載置物を収容するケース体であって、
前記側面部の一部が前記側面部から前記ケース体内部へ向けて切り起こされ、前記被載置物が載置される取付面部を形成し、
前記底面部の一部が前記底面部から前記ケース体内部へ向けて切り起こされ、前記取付面部を支える支持面部を形成した
ことを特徴としたケース体。
【請求項２】
（削除）
【請求項３】
請求項１に記載のケース体であって、
前記取付面部の先端側が、基端側に対して前記底面部と前記側面部との境界側に位置する状態から、切り起こし形成された
ことを特徴としたケース体。
【請求項４】
請求項１に記載のケース体であって、
前記取付面部は、基端側が先端側に対して前記底面部と前記側面部との境界側に位置する状態から、切り起こし形成された
ことを特徴としたケース体。
【請求項５】
請求項１、請求項３、または請求項４に記載のケース体であって、
前記支持面部は、先端側が基端側に対して前記底面部と前記側面部と間の境界側に位置する状態で、前記底面部に切り起こし形成された
ことを特徴としたケース体。
【請求項６】
請求項１、請求項３、または請求項４に記載のケース体であって、
前記支持面部は、基端側が先端側に対して前記底面部と前記側面部と間の境界側に位置する状態で、前記底面部に切り起こし形成された
ことを特徴としたケース体。
【請求項７】
請求項１、請求項３、または請求項４に記載のケース体であって、
前記支持面部は、前記取付面部の突出方向の一側縁に略平行な平面となる状態に前記取付面部の切り起こし方向と交差する方向へ前記底面部に切り起こし形成された
ことを特徴としたケース体。
【請求項８】
請求項１に記載のケース体であって、
前記取付面部および前記支持面部は、先端部が連結する状態に一連に連続して切り起こし形成された
ことを特徴としたケース体。
【請求項９】
平板状の底面部および側面部を有する被載置物を収容するケース体であって、
前記側面部の一部が前記側面部から前記ケース体内部へ向けて切り起こされ、前記被載置物が載置される取付面部を形成し、
前記取付面部の突出方向の一側縁から前記底面部に向けて先端部が前記底面部に略接触する状態に折曲され、前記取付面部を支える支持面部を形成した
ことを特徴としたケース体。
【請求項１０】
平板状の底面部および側面部を有する被載置物を収容するケース体であって、
前記側面部の一部が前記側面部から前記ケース体内部へ向けて切り起こされ、前記被載置物が載置される取付面部を形成し、
前記側面部の前記取付面部より前記底面部側で突出方向の一側縁が前記取付面部の前記底面部に対向する面に略接触する状態に切り起こされ、前記取付面部を支える支持面部を形成した
ことを特徴としたケース体。
【請求項１１】
請求項１ないし請求項１０のいずれかに記載ケース体であって、
前記取付面部は、前記被載置物を取付部材により取付固定する取付部を有した
ことを特徴としたケース体。
【請求項１２】
（削除）
【請求項１３】
請求項１ないし請求項１１のいずれかに記載のケース体と、
このケース体の内部空間内に配設された電気機器本体と、
前記ケース体の取付台座部に取り付けられて前記内部空間内に配設される被載置物と、
を具備したことを特徴とした電気機器。
【手続補正２】
【補正対象書類名】明細書
【補正対象項目名】０００２
【補正方法】変更
【補正の内容】
【０００２】
の特許文献３に記載のものは、突片が後板に対して略垂直に内向きに折曲され、先端が自由端となっているため、上述したように、例えば取付ねじを工具などにて取り付ける際の押圧力により、先端側が底板側へ折れ曲がる状態となり、良好にねじ止めできず、取付不良を生じるおそれがある。
［０００６］
特許文献１：特開平５−１６７２７７号公報（第２頁右欄−第３頁左欄、図３）
特許文献２：特開平９−２８９３８９号公報（第２頁右欄−第４右欄、図１）
特許文献３：特開２００５−３３０５４号公報（第３頁−第４頁、図５）
発明の開示
発明が解決しようとする課題
［０００７］
上述したように、上記特許文献１ないし特許文献３に記載のような従来の構成では、折曲形成され基板を取り付ける部位が自由端形状となっているので、基板を取り付ける際の押圧力により変形し、良好な基板の取付ができなくなるおそれがある問題が一例として挙げられる。
［０００８］
本発明は、このような問題点などに鑑みて、良好で確実に回路基板が取り付けられるケース体および電気機器を提供することを１つの目的とする。
課題を解決するための手段
［０００９］
本発明のケース体は、平板状の底面部および側面部を有する被載置物を収容するケース体であって、前記側面部の一部が前記側面部から前記ケース体内部へ向けて切り起こされ、前記被載置物が載置される取付面部を形成し、前記底面部の一部が前記底面部から前記ケース体内部へ向けて切り起こされ、前記取付面部を支える支持面部を形成したことを特徴とする。
本発明のケース体は、平板状の底面部および側面部を有する被載置物を収容するケース体であって、前記側面部の一部が前記側面部から前記ケース体内部へ向けて切り起こされ、前記被載置物が載置される取付面部を形成し、前記取付面部の突出方向の一側縁から前記底面部に向けて先端部が前記底面部に略接触する状態に折曲され、前記取付面部を支える支持面部を形成したことを特徴とする。
本発明のケース体は、平板状の底面部および側面部を有する被載置物を収容するケース体であって、前記側面部の一部が前記側面部から前記ケース体内部へ向けて切り起こされ、前記被載置物が載置される取付面部を形成し、前記側面部の前記取付面部より前記底面部側で突出方向の一側縁が前記取付面部の前記底面部に対向する面に略接触する状態に切り起こされ、前記取付面部を支える支持面部を形成したことを特徴とする。
［００１０］
本発明の電気機器は、前述した本発明のケース体と、このケース体の内部空間内に配設された電気機器本体と、前記ケース体の取付台座部に取り付けられて前記内部空間内に配設される被載置物と、を具備したことを特徴とする。
図面の簡単な説明
［００１１］
［図１］本発明における実施の一形態に係る電気機器の概略構成を示す斜視図である。
［図２］前記実施の一形態における電気機器の取付台座部近傍を示す一部を切り欠
【国際調査報告】
2006106827.tif 000013
2006106827.tif 000014
2006106827.tif 000015
2006106827.tif 000016
2006106827.tif 000017
2006106827.tif 000018